(57)【要約】【課題】  水槽本体に入れられた適量の水は、地震等による揺れによって、震度が大きくなればなるほど大きな波となり、水槽本体の上蓋や上部フィルター等を乗り越え本体の外に流出し室内を水で汚してしまう。この地震等による漏水に対して水漏れを防止すること、又各種の水槽とろ過装置に対して対応でき、更に取付・取外しが容易であり、観賞用の美観を損ねないシステムを提供する。【解決手段】  水槽本体の上部躯体に躯体止クリップにより、水漏れ防止装置を下から取付られた事により、地震等の強い揺れに対し、水槽本体内の水は水槽からの水漏れを防止出来る。又本発明の水漏れ防止装置は、各種水槽に対応できる。【選択図】      図1
2007228945.tif 000002
【特許請求の範囲】
【請求項１】
観賞用水槽システムにおいて、各種水槽本体の上部躯体を利用し、躯体左右両側に設置した水漏れ防止装置を上部躯体に下から挟んで取付け、万一の強い地震の揺れに対しても、水漏れを防止することが出来ることを特徴とする装置。
【請求項２】
観賞用水槽には、水槽内の水に含まれた不純物を除去するために、水槽本体の上部に、フィルター付き濾過槽と、観賞用の照明装置等を備えた水槽システムが一般的形状であるが、フィルター付き濾過槽には、この上部式の他に、水槽内部取付式、外付式と多種類ある為、これらの種類に対し全て取付可能にする「上蓋用」と「上部フィルター式用」の二種類の方式により、請求項１記載の水漏れを防止する装置。
【請求項３】
前記水漏れを防止する装置は、頻繁な清掃により、取付け、取外しを容易にする事が必要であることから、躯体止クリップを設けたことを特長とする、請求項１または２記載の水漏れを防止する装置。
【請求項４】
前記水漏れを防止する装置の材料は、取付け、取外しを容易にする為に曲げに強い材質であること、又、観賞用であることから、透明なポリ塩化ビニール樹脂板と、アクリル板
であることを特徴とする請求項１・２または３記載の水漏れを防止する装置。
【発明の詳細な説明】
【技術分野】
【０００１】
本発明は、金魚、熱帯魚、その他メダカ、海水魚水草などの観賞用水生動物を飼育し観賞するために必要な水槽の中の水を、地震等による揺れに対し水漏れを防止する装置である。
【背景技術】
【０００２】
熱帯魚、金魚等の魚類を、一般家庭、事務所などで観賞用として飼育するのに水槽が広く利用されている。一般的に、水槽は上面が開放された水槽本体から構成され、水槽本体の底壁及び４側壁が透明なガラス又はプラスチックから形成されている。魚類を飼育するときは、水槽を清掃しその内に適量の水を入れ、このようにした水槽中に魚類を放す。そして、必要に応じて、水に空気を供給するための空気供給手段、水に含まれる不純物を除去するためのフィルター手段、水を適温に保持するためのヒーター手段、水槽内を照明するための照明手段が各種設けられている。また、飼育者の好みによって、水槽内を美しく見せる為のアクセサリーとして水車、橋等の陶器類、砂利、水草等が水槽内に入れられる。
【０００３】
しかしながら、上述した各手段は、図３に示すように、主に水槽本体の上に、フィルター手段と照明手段を取付てあり、又、小さい水槽には、ガラス、プラスチック製の蓋を上から被せてある。これでは地震による震度３〜４の揺れにより、水は水槽本体上部より溢れて室内に流水し地震の度に室内の清掃をしなければならない。当然ながら震度５以上の場合は相当量の水が溢れ出し清掃には大変な対応が必要となる。そのため一般家庭、事務所における観賞用として飼育する水槽の設置場所は、２階以上の場所と畳の部屋は出来るだけ避け一階のリビングで飼育されている。
【０００４】
これらの問題を解決するものとして、特許文献１の、無蓋の古い水槽、特にセメント製の無蓋の防火水槽を有蓋化及び漏水防止した水槽が開示されている。
【０００５】
また、特許文献２には、一つのポンプで水吸上げ、空気混入、水槽内の大小空間に水を循環流通させて、ろ過可能とし、携帯機能、漏水防止機能の向上する水槽が開示されている。
【特許文献１】特開２００２―１２０８９５号公報
【特許文献２】特開平６―８１２５６号公報
【発明の開示】
【発明が解決しようとする課題】
【０００６】
しかしながら、特開２００２―１２０８９５号公報に開示された水槽においては、水槽本体がセメント製の防火水槽であり、L型アングルの型枠の上にコンクリート製の重い蓋を懸け渡して閉鎖し、漏水防止するもので、観賞用として飼育する水槽の防水ではない。
【０００７】
特開平６―８１２５６号公報に開示された水槽における上蓋は、上面に着脱自在に被着
するものとあるが、この場合の漏水機能は、ショルダーベルトを取付けて携帯出来る機能の考案から、ショルダーベルトの両端を水槽本体に上蓋を被せた状態で、水槽本体の辺縁、及び突縁に同一に貫押孔を開け連結固定し持ち歩くための構造である、水槽本体と上蓋をショルダーベルト取付のために、金具により締め付けた漏水機能であり、取付け、取外しの容易な方法とはいえず、又、一般的な観賞用水槽、及び上部フィルター濾過式等に対しては、取付けが不可能である。
【０００８】
更に、携体機能であるショルダーベルトの固定を外し、室内等で観賞する場合は、固定機能は無くなり、漏水防止機能も共に機能せず、地震などによる水漏れ防止は出来ない。
【０００９】
本発明は、従来の水槽の有する課題に鑑みてなされたものであり、特に一般的な観賞用水槽で飼育する場合、上部に、フィルター装置と照明装置が設置してある。この場合に震度３位の地震があると、ある程度の水の溢れを抑えられるが、上蓋式も同様に、震度３以上の地震における揺れに対しては、水槽内は水の移動が波力となり、水圧には勝てず大量の水が溢れ、水漏れの防止は出来ない。このようにいつ起きるか判らない自然災害である地震対策として、震度６位でも、水槽本体上部より、水の溢れを防止する水槽用水漏れ防止装置を提供することを課題として、気軽に観賞用としての水槽を多くの人に飼育出来るシステムとして提供することを目的とする。
【課題を解決するための手段】
【００１０】
本発明は上記の課題を解決するために、第一発明は各種水槽本体の上部躯体を利用し、躯体左右両側に設置した水漏れ防止装置を上部躯体に下から挟んで取付け、万一の強い地震の揺れに対しても、水漏れを防止することが出来ることを特徴とする装置である。
また、第二の発明は、水槽本体の大きさの種類や、フィルター形式種類に対応するよう、下記の二種類の水槽用水漏れ防止装置を図５のような各種異なるサイズを作成し対応出来ること特徴とする水漏れ防止装置である。
図２の１は上蓋式用図で、図４の水槽内部フィルター式各種に対応する。
図２の２は上部フィルター式用図に対応する。
また、第三の発明は、頻繁な清掃により、取付け、取外しを容易にする事が必要であることから、図1の点線拡大図３、及び図５点線断面図に示す躯体止クリップを設けたことを特長とする水漏れを防止する装置である。
最後に第四の発明は、水槽本体は観賞用であることから、取付、取外しを容易に出来るよう、また曲げに強い材質と観賞用の美観を損ねない事が要求されることから、透明な塩化ビニール板、アクリル板を使用したことを特徴とする水槽用水漏れ防止装置である。
【発明の効果】
【００１１】
本発明によれば、強い横揺れの地震により、水槽内で起こる水の動きは、波となり、水槽内の左側側面に当たり、当たり返されて右側側面に当たる。これが繰り返し行われる。その為、水槽内の水は水槽左右側面から大量に溢れだし、室内に流失するが、水槽本体の上部躯体に、下から水漏れ防止装置を左右両側に躯体止クリップにより設置されることから、水槽内で起こる強い水の波は、水槽内の左側側面と水槽用水漏れ防止装置に当り返されることにより、水槽の外に漏れない。又、上記第二の発明により、水槽本体の大きさの種類や、フィルター形式種類に対応出来るうえ、第三の発明により、図1の点線拡大図３、及び図５点線断面図に示す躯体止クリップを設けたことから取付、取外しが容易に出来、第四の発明から透明な塩化ビニール板、アクリル板を使用したことにより美観も良く観賞の妨げにならない水槽用水漏れ防止装置である。
【発明を実施するための最良の形態】
【００１２】
以下、本発明の形態を図面に基づいて説明する。
図1は、上蓋式水槽の場合である。水槽本体４に本発明の水漏れ防止装置１と２を取り付ける。この取付方法は、点線拡大図のように、躯体上部６の下に水漏れ防止左板１を躯体止クリップ３により、躯体上部６を強く挟むように取付ける事により水漏れ防止の左板１は落下せず取付る事が出来る。これと同様に水漏れ防止右板２を取付ける事により、強い横揺れの地震に対して水漏れを防止できる。又、躯体止クリップ３の取付け方式により
請求項３の、取付け、取外しを容易にする事が可能となる。なお５は水槽本体の付属品の上蓋である。
【００１３】
図２は、
【００１４】
（３）の二種類の水槽用水漏れ防止装置である。１.上蓋式図と、２.上部フィルター式図である。共に水槽本体４の上部躯体両側に水漏れ防止装置１・２を、躯体止クリップ３により取付け、フィルター用上蓋５を被せる図式である。２.上部フィルター式図と上蓋式図の違いは、上部フィルター装置を躯体上部の上に載せる事から上部フィルター式装置の底部分を１５ミリ凹型に下げ、吸水スリット８、及び排水パイプ１０の投入穴をあけてある。これにより、フィルターの取付け、取外しを容易にする形態となっている。又、２.上部フィルター式図には吸水の為のモーター７と、ろ過槽のプラスチック製上蓋５が取付けられている。
【００１５】
図３は、一般的な観賞用水生動物を飼育し観賞する為の水槽である。水槽本体４の上に、フィルター装置９、照明装置１２を取付け構成された図である。モーター７の働力で水槽本体に適量の水１４を入れ、吸水パイプスリット８より水が吸上げられ、散水パイプ１３を通り上部フィルター装置９でろ過され、排水パイプ１０により、水は水槽本体１４に戻される。又、１１は家庭用電源コンセントを示し、５はガラスやプラスチック製の水槽本体付属の上蓋を示した。
【００１６】
図４は、上蓋式において、水槽の大・小により主に５種類の方式がある。これら５種類の断面を図により示した。最近簡易外付けタイプ式も多く出ているが、これらの方式全てに上蓋式水槽用水漏れ防止装置は可能である事を示した。
【００１７】
図５は、上蓋式と上部フィルター式の水槽の種類による水漏れ防止装置の左板概略図と寸法表を明記し、点線拡大図は躯体クリップの寸法を示す。又、材料は全て透明な塩化ビニール板、アクリル板を使用していることは言うまでもない。
【００１８】
図６は、地震が発生した場合を想定した実験を行い、水槽本体の水の動きを断面図により示している。実験は水槽本体４に水１４を適量の状態にして、実験用台車１５の上に乗せ、右方向１６に強く引き、又引き戻し震度６位の地震を発生させる。地震により起こる波の力はどうなるか、実験の結果、水槽内の水は大波となり水槽内側と水漏れ防止装置１に当たる。当り返された波は反対側面と反対側に取付けられた水漏れ防止装置２に当り同様の動きを起こすが、左右に取付けられた水漏れ防止装置により水漏れを防止し、水槽本体４からは水槽内の水１４は漏れない結果が得られる。
（実施形態の効果）
【００１９】
この実施形態によれば、図１の点線拡大図で示すように水漏れ防止装置１・２は水槽躯体上部６の下から躯体止クリップによって強く挟んで取付けられ、又水漏れ防止装置を左右両側に一枚づつ取付ける事により、水槽本体内の水は、図６に示すように地震の大きな揺れによって発生した波は、本来であれば水槽の外に溢れ出すが、水漏れ防止装置の取付が躯体上部の下に取付けてある為、強い水圧による波力を反対側に押し返す。押し返された水は、水槽内反対側に押し返かえされ、反対側でも同様の働きをする事から地震、震度６の強い揺れに対しても水漏れの防止が出来る。
【００２０】
又、本発明の水槽用水漏れ防止装置は、図２の上蓋式と上部フィルター式の２種類が考案され、これにより現在市販されている各種水槽やフィルターろ過装置に対応し、水漏れ
を防止出来る。
【００２１】
又、本発明の水槽用水漏れ防止装置は、曲げに強い塩化ビニール板を利用した事により、水漏れ防止装置板１・２は、水槽本体４の壁面内側ガラス面までの長さであり、躯体上部６の内側間の長さより長いため、取付けは、水漏れ防止装置板を湾曲にして水槽本体内側間に躯体止クリップ３により、躯体上部６に挟んで取付けができる。これにより、取付・取外しが容易に出来ることが特徴である。又水漏れ防止装置１・２の材料は透明な塩化ビニール板を使用している事から観賞に対しても美観を妨げない。
【図面の簡単な説明】
【００２２】
【図１】上蓋式水槽本体に本発明の水漏れ防止装置を躯体に取付けた場所を示し、点線内には水槽躯体上部の取付けた断面を示す斜視図である。
【図２】本発明の水漏れ防止装置の二種類、１上蓋式・２上部フィルター式の取付け斜視図である。
【図３】一般的な観賞用飼育における水槽の実施態様を説明する斜視図である。
【図４】上蓋式水槽の中で、主なフィルター方式の形式名と、その断面図である。
【図５】本発明の水漏れ防止装置における、上蓋式と上部フィルター式の概略図、躯体止クリップの寸法の断面図と、水槽の種類に対する寸法表である。
【図６】地震を想定した実験によって起きる水の動きの断面図と、地震発生実験用台車の図解断面である。
【符号の説明】
【００２３】
１  水漏れ防止装置（防止装置左側）
２  水漏れ防止装置（防止装置右側）
３  躯体止クリップ
４  水槽本体
５  上蓋（ガラス、又はプラスチック製）
６  躯体上部（断面）
７  モーター（吸水ポンプ用）
８  吸水パイプスリット
９  上部フィルター装置（ろ過槽装置）
１０  排水パイプ
１１  家庭用電源
１２  観賞用蛍光灯（照明装置）
１３  散水パイプ（フィルター装置内）
１４  水槽内の水
１５  台車（地震発生実験用台車）
１６  移動方向
【図１】
2007228945.tif 000003
【図２】
2007228945.tif 000004
【図３】
2007228945.tif 000005
【図４】
2007228945.tif 000006
【図５】
2007228945.tif 000007
【図６】
2007228945.tif 000008